【事件の表示】
　特許第２８０３６６５号　「インクジェット記録装置」の請求項１乃至４に係る特許に対する特許異議の申立てについて、次のとおり決定する。
【結　論】
　訂正を認める。
　特許第２８０３６６５号の請求項１に係る特許を維持する。
【理　由】
［１］手続きの経緯
　本件特許第２８０３６６５号発明は、昭和６３年４月１５日に出願された特願昭６３−９４１０９号から平成９年７月２８日に分割出願され、平成１０年７月１７日にその特許の設定登録がなされ、その後、松本一也、河井清悦より特許異議の申立てがなされ、取消理由通知がなされ、その指定期間内である平成１１年９月２１日に訂正請求がなされ、訂正拒絶理由通知がなされ、その指定期間内である平成１１年１２月７日に訂正請求書の補正がなされたものである。
［２］補正の適否
　本補正は、特許請求の範囲を、平成１１年９月２１日の訂正請求時の請求項３のみを、各ブロックのインク色が異なる点を除いて、残す形にさらに減縮し、それに伴い、明細書段落【０００５】【００２５】の記載を特許請求の範囲の記載に整合させるべく補正するものであり、訂正請求書の要旨を変更するものではなく、特許法第１２０条の４第３項で準用する同法第１３１条第２項の規定に適合するので、当該補正を認める。
［３］訂正の適否についての判断
１．訂正の要旨
（１）訂正事項ａ
  特許請求の範囲を次に訂正する。
「【請求項１】複数の噴射ノズルからなるブロックを記録紙の幅方向に複数配置したインクジェットヘッドと、前記１つのブロックの全ての噴射ノズルを空間を形成して封止できるサイズを有し、かつ印刷領域外に配置された第１キャップと、第１キャップの空間に負圧を供給する吸引ポンプと、第１キャップよりも非印刷領域側に配置された第２キャップと、クリーニング動作を実行させるブロックを選択する指定手段とを備え、前記指定手段により複数のブロックのクリーニングが指定された場合には、１つのブロックをなす全ての噴射ノズルに対するクリーニングが終了した時点で、第１キャップを大気に連通させて前記吸引ポンプによる吸引を実行し、前記吸引が終了した後、第１キャップを前記インクジェットヘッドから引き離して次のブロックに移動させて当該ブロックのクリーニングを実行し、また非印刷時には前記インクジェットヘッドの全てのブロックの噴射ノズルを第２キャップにより封止することを特徴とするインクジェット記録装置。
」
（２）訂正事項ｂ
　特許明細書段落【０００５】を次に訂正する。
「【課題を解決するための手段】このような問題を解消するために本発明においては、複数の噴射ノズルからなるブロックを記録紙の幅方向に複数配置したインクジェットヘッドと、前記１つのブロックの全ての噴射ノズルを空間を形成して封止できるサイズを有し、かつ印刷領域外に配置された第１キャップと、第１キャップの空間に負圧を供給する吸引ポンプと、第１キャップよりも非印刷領域側に配置された第２キャップと、クリーニング動作を実行させるブロックを選択する指定手段とを備え、前記指定手段により複数のブロックのクリーニングが指定された場合には、１つのブロックをなす全ての噴射ノズルに対するクリーニングが終了した時点で、第１キャップを大気に連通させて前記吸引ポンプによる吸引を実行し、前記吸引が終了した後、第１キャップを前記インクジェットヘッドから引き離して次のブロックに移動させて当該ブロックのクリーニングを実行し、また非印刷時には前記インクジェットヘッドの全てのブロックの噴射ノズルを第２キャップにより封止するようにした。」
（３）訂正事項ｃ
　特許明細書段落【００２５】を次に訂正する。「【発明の効果】以上説明したように本発明のインクジェット記録装置によれば、高速印字や高解像度印字あるいはカラー印字のために複数の噴射ノズルからなるブロックを複数備えて多ノズル構成を採るインクジェットヘッドであっても、吸引の不要な噴射ノズルからのインクの排出を伴うことなく、クリーニングを必要とする噴射ノズルからだけインクを選択的に排出させて、インクの浪費を無くしてクリーニングを実行することができ、また、１つのブロックからのインクの吸引が終了した段階で、キャップを大気に連通させて吸引するため、混色を招くことなく次のブロックのクリーニングを実行することができる。さらに、第１キャップが、非印字時にインクジェットヘッドを封止する第２のキャップより印刷領域側に位置するため、吸引のためのヘッドの移動距離を可及的に短縮でき、印刷のスループットの低下を防止することができる。」
（４）訂正事項ｄ
　特許明細書段落【０００３】の「函体が多くなって」を「函体が大きくなって」に訂正する。
（５）訂正事項ｅ
　特許明細書段落【０００３】の「インク同士が混合し会い」を「インク同士が混合し合い」に訂正する。
（６）訂正事項ｆ
　特許明細書段落【０００４】の「クリーニングすることできる」を「クリーニングすることができる」に訂正する。
２．訂正の目的、新規事項禁止、拡張変更禁止の各要件の判断
（１）訂正事項ａについて
　本訂正は、願書に添付した明細書又は図面に記載した事項（特に、訂正前の請求項１，２，３，４及び図１乃至６とその説明記載参照。）の範囲内のものであり、特許請求の範囲の減縮を目的とするものであって、上記各要件を満たすものである。
（２）訂正事項ｂ，ｃについて
　本訂正は、訂正事項ａに伴う訂正であり、上記各要件を満たすものである（訂正事項ｃについては特許明細書段落【００１３】も参照。）。
（３）訂正事項ｄ，ｅ，ｆについて
　本訂正は、明らかな誤記の訂正を目的とするものであり、上記各要件を満たすものである。
３．独立特許要件の判断と訂正の適否のまとめ
　以下に述べるように、訂正後の発明は特許出願の際独立して特許を受けることができない発明とすることはできないことから、上記訂正は、特許法第１２０条の４第２項及び同条第３項で準用する第１２６条第２乃至４項の規定に適合するので、当該訂正を認める。
［４］異議申立についての判断
１．本件請求項１に係る発明
　本件請求項１に係る発明は、訂正明細書及び図面の記載からみて、訂正明細書の特許請求の範囲の請求項１に記載された事項により特定されるとおりのインクジェット記録装置であると認められる（上記訂正事項ａ参照、以下「本件発明」という。）。
２．取消理由の引用刊行物とその記載事項
　これに対し、当審は、共に特許法第２９条第２項規定違反を理由とする両特許異議申立における全ての証拠を引用刊行物として採用し、取消理由を通知した（申立人松本一也の提出した甲第１乃至３号証は下記刊行物１乃至３であり、申立人河井清悦の提出した甲第１乃至７号証は下記刊行物２，４乃至９である。）。
　引用刊行物とその記載事項は次のとおりである。
　刊行物１：特開昭６０−３０３４９号公報
  複数の噴射ノズル（ノズルａ１〜ａ４が相当、以下同様。）を記録紙の幅方向に配置したインクジェットヘッドと、印刷領域外に配置され噴射ノズルを選択的に封止するキャップ（キャッピング部材１９，２３，２５）に設けた吸引部（復旧口Ａ）に負圧を供給する吸引ポンプと、キャップに設けた保護部（小密室ｃ１〜ｃ４）とを備え、非印刷時には全ての噴射ノズルをキャップに設けた保護部により封止するインクジェット記録装置、等が記載されている。
　刊行物２：特開昭５２−１５００３０号公報
  複数の噴射ノズル（射出通路１０３ａ，ｂの射出口２４）を記録紙の幅方向に配置したインクジェットヘッドと、印刷領域外に配置され噴射ノズルに選択的に接する第１キャップ（射出端面に吸込傾斜角θをもって接する吸引管２０１）に負圧を供給する吸引ポンプ（ブロワー２０９）と、第１キャップよりも非印刷領域側に配置された第２キャップ（キャップ部材２２１）とを備え、非印刷時には全ての噴射ノズルを第２キャップにより封止するインクジェット記録装置、等が記載されている。
　刊行物３：実願昭５７−４８６１５号（実開昭５８−１５１０４９号）のマイクロフイルム
  複数の噴射ノズル（ノズル孔１）からなるインクジェットヘッドと、全ての噴射ノズルを封止できるサイズを有し、かつ印刷領域外に配置されたキャップ（プレート２１）と、キャップに負圧を供給する吸引ポンプ（吸引ポンプ４０）とを備え、１つの噴射ノズルに対するクリーニングが終了した後、次の噴射ノズルのクリーニングを実行し、また非印刷時には全ての噴射ノズルをキャップにより封止するインクジェット記録装置、等が記載されている。
　刊行物４：実願昭５３−２０５９１号（実開昭５４−１２４５４２号）のマイクロフイルム
  複数の噴射ノズル（ヘッド１１〜１７）を記録紙の幅方向に配置したインクジェットヘッドと、印刷領域外に配置されたクリーニング部材（刷子３）と、クリーニング部材よりも非印刷領域側に配置されたキャップ（キャップ１０１〜１０７）とを備え、１つの噴射ノズルに対するクリーニングが終了した後、次の噴射ノズルのクリーニングを実行し、また非印刷時には全ての噴射ノズルをキャップにより封止するインクジェット記録装置、等が記載されている。
　刊行物５：特開昭６２−２５１１４５号公報
  複数の噴射ノズル（吐出口部１９Ａ〜１９Ｄ）からなるブロック（ヘッド５Ａ〜５Ｄ）を記録紙の幅方向に複数配置したインクジェットヘッドと、全てのブロックを空間を形成して封止できるサイズを有し、かつ印刷領域外に配置されたキャップ（キャップ７）と、キャップの空間に負圧を供給する吸引ポンプ（ポンプ８）とを備えたインクジェット記録装置、等が記載されている。
　刊行物６：特開昭６２−１３３５０号公報
  噴射ノズル（オリフィス１５）からなるブロック（１ｃ，ｍ，ｙ，ｂ）を記録紙の幅方向に複数配置したインクジェットヘッドと、１つのブロックの噴射ノズルを空間を形成して封止できるサイズを有し、かつ印刷領域外に配置されたキャップ（キャップ１０１）と、キャップの空間に負圧を供給する吸引ポンプ（吸引ポンプ１０３）と、クリーニング動作を実行させるブロックを選択する手段とを備え、混色とインク浪費とを防止できるインクジェット記録装置、等が記載されている。
　刊行物７：実願昭５７−９７６２３号（実開昭５９−２５４６号）のマイクロフイルム
  複数の噴射ノズル（オリフィス２）を記録紙の幅方向に配置したインクジェットヘッドと、全ての噴射ノズルを空間を形成して封止できるサイズを有し、かつ印刷領域外に配置されたキャップ（キャップ３）とを備え、非印刷時に全ての噴射ノズルをキャップにより封止するインクジェット記録装置、等が記載されている。
　刊行物８：特開昭６０−７１２５９号公報
  複数の噴射ノズル（オリフィス２）からなるインクジェットヘッドと、全ての噴射ノズルを空間を形成して封止できるサイズを有し、かつ印刷領域外に配置されたキャップ（キャップ３）と、キャップの空間に負圧を供給する吸引ポンプ（ポンプ６）とを備え、噴射ノズルに対する密着吸引によるクリーニングが終了した後、キャップをヘッドから引き離して吸引ポンプによる空吸引を実行することにより、ノズル側やキャップ側に付着したインクを除去できるインクジェット記録装置、等が記載されている。
　刊行物９：特開昭６０−１５９０５８号公報
  複数の噴射ノズル（オリフィス２）からなるブロックを記録紙の幅方向に複数配置したインクジェットヘッドと、ブロック毎に全ての噴射ノズルを空間を形成して封止できるサイズを有し、かつ印刷領域外に配置されたキャップ（キャップ３）と、キャップの各空間に負圧を供給する吸引ポンプ（ポンプ６）とを備え、各ブロックの噴射ノズルに対する密着吸引によるクリーニングが終了した後、キャップをヘッドから引き離して吸引ポンプによる空吸引を実行することにより、ノズル側やキャップ側のインク溜を防止できるインクジェット記録装置、等が記載されている。
３．対比・判断
  上記刊行物１乃至９に係る記載事項からみて、刊行物１乃至９の記載から容易に想到されるものは、本件発明を特定する事項の記載に従えば、
“複数の噴射ノズルからなるブロックを記録紙の幅方向に複数配置したインクジェットヘッドと、前記１つのブロックの全ての噴射ノズルを空間を形成して封止できるサイズを有し、かつ印刷領域外に配置された第１キャップと、第１キャップの空間に負圧を供給する吸引ポンプと、第１キャップよりも非印刷領域側に配置された第２キャップと、クリーニング動作を実行させるブロックを選択する手段とを備え、１つのブロックをなす全ての噴射ノズルに対するクリーニングが終了した時点で、第１キャップを前記インクジェットヘッドから引き離して大気に連通させて前記吸引ポンプによる吸引を実行し、前記吸引が終了した後、第１キャップを次のブロックに移動させて当該ブロックのクリーニングを実行し、また非印刷時には前記インクジェットヘッドの全てのブロックの噴射ノズルを第２キャップにより封止することを特徴とするインクジェット記録装置。”であり、
本件発明を特定する事項である、「クリーニング動作を実行させるブロックを選択する指定手段とを備え、前記指定手段により複数のブロックのクリーニングが指定された場合には、１つのブロックをなす全ての噴射ノズルに対するクリーニングが終了した時点で、第１キャップを大気に連通させて前記吸引ポンプによる吸引を実行し、前記吸引が終了した後、第１キャップを前記インクジェットヘッドから引き離して次のブロックに移動させて当該ブロックのクリーニングを実行」する点、すなわち、指定手段により複数のブロックのクリーニングを指定でき、その場合の「次のブロック」は既に指定されたブロックであること、且つクリーニング終了後において第１キャップを大気に連通させて吸引するとき、第１キャップをインクジェットヘッドから引き離さずに吸引すること、についてまで容易に想到し得るとは認められない。
　この点は特許時の請求項４に記載されていた事項であるが、申立人松本一也は該請求項４に係る発明については特許異議申立の対象としていない。
　一方、申立人河井清悦は、この点は刊行物８，９（同申立人の提出した甲第６，７号証）に記載されている旨主張している。
　しかし、刊行物８，９における空吸引はキャップをインクジェットヘッドから引き離してなされるものであり、刊行物８，９には、キャップをインクジェットヘッドから引き離さずに空吸引することや複数ブロックを指定することについて記載も示唆もないため、この主張は採用できない。
　そして、この点を特定事項とすることにより、本件発明は、複数のブロックのクリーニングを効率的に行えるものであり、刊行物１乃至９に記載された発明及び技術的事項に基づいて当業者が容易に発明をすることができたものであるとは認められない。
［５］むすび
　したがって、特許異議申立の理由及び証拠によっては、本件発明に係る特許を取り消すことはできない。
　また、他に本件発明に係る特許を取り消すべき理由を発見しない。
　よって、結論のとおり決定する。
【異議決定日】
平成１２年２月８日（２０００．２．８）
【訂正の要旨】
　訂正の要旨
（１）訂正事項ａ
　特許請求の範囲を次に訂正する。
「【請求項１】複数の噴射ノズルからなるブロックを記録紙の幅方向に複数配置したインクジェットヘッドと、前記１つのブロックの全ての噴射ノズルを空間を形成して封止できるサイズを有し、かつ印刷領域外に配置された第１キャップと、第１キャップの空間に負圧を供給する吸引ポンプと、第１キャップよりも非印刷領域側に配置された第２キャップと、クリーニング動作を実行させるブロックを選択する指定手段とを備え、前記指定手段により複数のブロックのクリーニングが指定された場合には、１つのブロックをなす全ての噴射ノズルに対するクリーニングが終了した時点で、第１キャップを大気に連通させて前記吸引ポンプによる吸引を実行し、前記吸引が終了した後、第１キャップを前記インクジェットヘッドから引き離して次のブロックに移動させて当該ブロックのクリーニングを実行し、また非印刷時には前記インクジェットヘッドの全てのブロックの噴射ノズルを第２キャップにより封止することを特徴とするインクジェット記録装置。」
（２）訂正事項ｂ
　特許明細書段落【０００５】を次に訂正する。
「【課題を解決するための手段】このような問題を解消するために本発明においては、複数の噴射ノズルからなるブロックを記録紙の幅方向に複数配置したインクジェットヘッドと、前記１つのブロックの全ての噴射ノズルを空間を形成して封止できるサイズを有し、かつ印刷領域外に配置された第１キャップと、第１キャップの空間に負圧を供給する吸引ポンプと、第１キャップよりも非印刷領域側に配置された第２キャップと、クリーニング動作を実行させるブロックを選択する指定手段とを備え、前記指定手段により複数のブロックのクリーニングが指定された場合には、１つのブロックをなす全ての噴射ノズルに対するクリーニングが終了した時点で、第１キャップを大気に連通させて前記吸引ポンプによる吸引を実行し、前記吸引が終了した後、第１キャップを前記インクジェットヘッドから引き離して次のブロックに移動させて当該ブロックのクリーニングを実行し、また非印刷時には前記インクジェットヘッドの全てのブロックの噴射ノズルを第２キャップにより封止するようにした。」
（３）訂正事項ｃ
　特許明細書段落【００２５】を次に訂正する。
「【発明の効果】以上説明したように本発明のインクジェット記録装置によれば、高速印字や高解像度印字あるいはカラー印字のために複数の噴射ノズルからなるブロックを複数備えて多ノズル構成を採るインクジェットヘッドであっても、吸引の不要な噴射ノズルからのインクの排出を伴うことなく、クリーニングを必要とする噴射ノズルからだけインクを選択的に排出させて、インクの浪費を無くしてクリーニングを実行することができ、また、１つのブロックからのインクの吸引が終了した段階で、キャップを大気に連通させて吸引するため、混色を招くことなく次のブロックのクリーニングを実行することができる。さらに、第１キャップが、非印字時にインクジェットヘッドを封止する第２のキャップより印刷領域側に位置するため、吸引のためのヘッドの移動距離を可及的に短縮でき、印刷のスループットの低下を防止することができる。」
（４）訂正事項ｄ
　特許明細書段落【０００３】の「函体が多くなって」を「函体が大きくなって」に訂正する。
（５）訂正事項ｅ
　特許明細書段落【０００３】の「インク同士が混合し会い」を「インク同士が混合し合い」に訂正する。
（６）訂正事項ｆ
　特許明細書段落【０００４】の「クリーニングすることできる」を「クリーニングすることができる」に訂正する。
（５４）【発明の名称】
インクジェット記録装置
（５７）【特許請求の範囲】
　【請求項１】　複数の噴射ノズルからなるブロックを記録紙の幅方向に複数配置したインクジェットヘッドと、
　前記１つのブロックの全ての噴射ノズルを空間を形成して封止できるサイズを有し、かつ印刷領域外に配置された第１キャップと、
　第１キャップの空間に負圧を供給する吸引ポンプと、
　第１キャップよりも非印刷領域側に配置された第２キャップと
、
　
クリーニングを実行させるブロックを選択る定手段とを備え、
　前記定手段により複数のブロックのクリーニングが定された場場合には、１つのブロックをなす全ての噴射ノズルに対するクリーニングが終了した時点で、第１キャップを気に連通させて前記吸引ポンプによる吸引を実行し、前記吸引が終了した後、第１キャップを前記インクジェットヘッドから引き離して次のブロックに移動させて当該ブロックのクリーニングを
　また非印刷時には前記インクジェットヘッドの全てのブロックの噴射ノズルを第２キャップにより封止する
　
ことを特徴とする
【発明の詳細な説明】
　【０００１】
　【発明の属する技術の分野】
　本発明は、インク滴を吐出する複数列の噴射ノズルを有するインクジェットヘッドと、噴射ノズルの目詰まり解消のために噴射ノズルからインクを吸引するキャップとを備えたインクジェット記録装置に関する。
　【０００２】
　【従来の技術】
　印字信号に対応して噴射ノズルからインク滴を吐出するインクジェットヘッドを備えたインクジェット式記録装置は、噴射ノズルに紙粉やインクカスが付着して目詰まりを起こすと印刷が不能となる。このため、インクジェットヘッドの噴射ノズルが形成されている面をキャップにより封止し、キャップに吸引ポンプの負圧を作用させて噴射ノズルからインクをキャップに強制的に排出させるクリーニング装置を備えている。
　【０００３】
　【発明が解決しようとする課題】
　しかしながら、高密度記録や高速記録、またカラー記録等のためにインクジェットヘッドを構成する噴射ノズルの列数が多くなると、クリーニング装置を構成するキャップのサイズが大きくなり、これに伴ってキャップの空間容積が急激に増大してポンプの吸引能力が相対的に低下し、クリーニングが不完全になったり、また必要なインク量を吸引する時間が長くなる。
　このような問題を解消するために、吸引能力を上げると、ポンプが大型化し、これを収容する函体が大きくなって記録装置全体が大型化するという問題がある。　また、カラー印刷用のインクジェットヘッドにあっては、吸引時に隣接する異なる色のインクを噴射する噴射ノズルのインク同士が混合し合い、この混色したインクが噴射ノズルに付着して印刷時に混色を生じるという問題がある。
　【０００４】
　さらには、大きなキャップによる封止では、完全な封止状態を得るためには微妙な運動を必要としてキャッピング終了まで時間を要して、特に印刷中のクリーニングにあっては印刷速度の低下を招くという問題がある。
　本発明はこのような問題に鑑みてなされたものであって、その目的とするところは多列の噴射ノズルを備えたインクジェットヘッドを効率的、かつ隣接する他の噴射ノズル列のインクとの混合を生じること無く、さらに印刷のスループットの低下を最小限にしてクリーニングすることができるインクジェット記録装置を提供することである。
　【０００５】
　【課題を解決するための手段】
　このような問題を解消するために本発明においては、複数の噴射ノズルからなるブロックを記録紙の幅方向に複数配置したインクジェットヘッドと、前記１つのブロックの全ての噴射ノズルを空間を形成して封止できるサイズを有し、かつ印刷領域外に配置された第１キャップと、第１キャップの空間に負圧を供給する吸引ポンプと、第１キャップよりも非印刷領域側に配置された第２キャップと
、クリーニング動作を実行させるブロックを選択する指定手段
前記指定手段により複数のブロックのクリーニングが指定された場合には、１つのブロックをなす全ての噴射ノズルに対するクリーニングが終了した時点で、第１キャップを大気に連通させて前記吸引ポンプによる吸引を実行し、前記吸引が終了した後、第１キャップを前記インクジェットヘッドから引き離して次のブロックに移動させて当該ブロックのクリーニングを
　【０００６】
　【発明の実施の形態】
　そこで以下に本発明の詳細を図示した実施例に基づいて説明する。図１は本発明のインクジェット記録装置の一実施例を示すものであって、キャリッジ１１は後述するインクジェットヘッド１２を搭載し、ガイド軸１３に案内されて図示していないパルスモータあるいはＤＣサーボモータの正逆回転により、図示しない紙送り手段により矢印Ｄで示す方向に送られる記録紙１４の幅方向に往復移動するものである。キャリッジ１１は、位置検出器１５により検出された位置を基準として図示しないエンコーダによりその位置を常時管理されている。
　【０００７】
　印字ヘッド１２は、図２に示したように噴射ノズル２３、２３、２３、‥‥を複数列、この実施例では６列備え、隣接する２列のものが紙送り方向にずれるように千鳥状に配列されている。これら６列の噴射ノズル２３、２３、２３、‥‥は、２列を単位として３つのブロックＡ、Ｂ、Ｃに分割され、それぞれ異なるインクを吐出できるように構成されている。このように噴射ノズル２３、２３、２３、‥‥を千鳥状に配置することにより高解像で、また複数ブロックを記録紙の幅方向に並べることで高速印字を実現することができる。
　【０００８】
　インクジェットヘッド１２は、チューブ１６を介してインクタンク１に接続されてインクタンク１からインクの供給を受けて印刷を実行する。記録紙１４の外側、つまり非印字領域にはチューブ２２により吸引ポンプ１８に接続するキャップ１７が設けられている。
　キャップ１７は、インクジェットヘッド１２の噴射ノズル２３に対応する面に空胴２４を有し、かつインクジェットヘッド１２の各ブロックＡ、Ｂ、Ｃをそれぞれ個別に封止できるサイズのゴム製の容器として構成され、インクジェットヘッド面に対して垂直な方向にバネ力に抗して進退するキャップソレノイド２７に取り付けられている。
　キャップ１７よりも外側（図中、左側）には印字休止時にインクジェットヘッドの全てのブロックＡ、Ｂ、Ｃを同一の空間で封止する保護キャップ２６が設けられている。
　【０００９】
　キャップ１７は、空洞２４にインク吸収用の多孔質部材２５を収容するとともに、ソレノイド２１により開閉される弁２０にチューブ２２を介して接続され、またチューブ４８を介して吸引ポンプ１８に接続されている。
　【００１０】
　このように構成した装置の動作を図３、及び図４に基づいて説明する。
　クリーニング信号が出力されると、キャップソレノイド２７、及びバルブソレノイド２１が付勢される。これによりキャップ１７は、バネ力に抗してインクジェットヘッド１２の移動軌跡から後退させられ、またバルブ２０を介して大気に連通される。
　【００１１】
　この状態で、キャリッジ１１は、インクジェットヘッド１２をキャップ１７の方向に移動させ、特定のブロック、例えばブロックＡがキャップ１７に対向する位置で停止する。
　ついでキャップソレノイド２７が消勢されると、キャップ１７がインクジェットヘッド１２のブロックＡだけを封止し、さらにバルブソレノイド２１が消勢され、図３（１）に示すようにインクジェットヘッド１２のブロックＡの噴射ノズル２３だけがキャップ１７により密封される。もとより、キャップ１７は保護キャップ２６よりサイズが小さいため、インクジェットヘッド１２と容易に気密性を確保でき、保護キャップ２６による封止よりも短時間で封止状態を確保する。
　【００１２】
　この状態で吸引ポンプ１８が動作すると、インクジェットヘッド１２のブロックＡを構成している噴射ノズル２３にだけ吸引ポンプ１８の負圧が作用し、ブロックＡの噴射ノズル２３からインクがキャップ１７に排出され、この過程でインクジェットヘッド１２を構成している流路内の気泡やブロックＡの噴射ノズル２３に付着している紙粉やインクカスがインクとともにキャップ１７に排出される。
　【００１３】
　このようにして大気との連通を絶っての吸引動作を、所定時間、例えば数秒間継続した後、バルブソノレイド２１を再び付勢してキャップ１７を大気と連通させると、インク吸引工程でノズル面に付着したインクや、またキャップ１７内に溜まっていたインクやさらにはキャップ１７に付着したインクは、バルブ２０を介して流れ込むエアの流れに乗って廃インクタンク１９に排出される。
　最後に吸引ポンプ１８を停止させてキャップ１７が大気圧に戻った時点でキャップソレノイド２７を付勢し、キャップ１７をヘッド１２から離し、バルブ２０を開弁したまま、インクジェットヘッド１２の次のブロック、例えばブロックＢがキャップ１７に対向する位置までキャリッジ１１を移動させる。
　【００１４】
　この状態で前述の工程を繰り返すと、インクジェットヘッド１２のブロックＢのノズル開口２３がキャップ１７に密封され、前述のＡブロックの噴射ノズル２３と同様にクリーニングを受ける（図３（ＩＩ））。
　同様にブロックＢの噴射ノズル２３のクリーニングが終了した段階で、キャリッジ１１を移動させてインクジェットヘッド１２のブロックＣをキャップ１７で封止して（図３（ＩＩＩ））、クリーニングを実行する。
　【００１５】
　このようにしてインクジェットヘッド１２のクリーニングが終了すると、印字指令が出力されていない場合にはキャリッジ１１がさらに非印字領域側（図中、左側）に移動してインクジェットヘッド１２を保護キャップ２６により封止させて、総てのブロックＡ、Ｂ、Ｃの噴射ノズル２３の乾燥や塵埃の付着を防止する（図３（ＩＶ））。　【００１６】
　このように複数の噴射ノズルを単一のキャップ２６により封止するため、保湿効果が高く、目詰まりに至るまでの時間を延長することができる。
　【００１７】
　一方、印字指令が出力されている場合には、キャリッジ１１は印字領域側に移動し、またインクジェットヘッド１２は噴射ノズル２３からインク滴を吐出して記録紙１４に印刷を実行する。
　【００１８】
　このように保湿効果の高い保護キャップよりも印刷領域に近い側にキャップ１７が配置されているため、印刷期間中のクリーニングにあっては、クリーニングが終了してから印刷領域に移動する距離を可及的に短くして、印刷速度の向上を図ることが可能となる。
　【００１９】
　図５は、インクジェットヘッドの他の実施例を噴射ノズルの配列形態で示す実施例であって、この実施例においては、インクジェットヘッド１２の噴射ノズル２３、２３、２３、‥‥が４つのブロックＹ、Ｃ、Ｍ、Ｂに分割されていて、各ブロックのノズル開口２３からはイエロ、シアン、マゼンタ、及びブラックのインク滴が吐出可能に構成されている。
　【００２０】
　図６は、上述のインクジェットヘッドを用いたインクジェット記録装置の実施例を示すものであって、この実施例においてはインクジェットヘッド１２の４つのブロックＹ、Ｃ、Ｍ、Ｂのそれぞれに対してクリーニングを独立して指令するためのクリーニングスイッチ３０が設けられている。
　【００２１】
　この実施例において、たとえばマゼンタの印字に乱れや欠けが発見された場合には、このブロックＭのクリーニングスイッチ（Ｍ）を操作すると、制御回路３１は、インクジェットヘッド１２のブロックＭがキャップ１７に対向する位置までキャリッジ１１を移動させ、以後前述同様のシーケンスによってブロックＭだけをキャップ１７で封止してクリーニングを行なう。
　【００２２】
　また、２色以上のブロックの噴射ノズルに対しクリーニングを行なう場合は、クリーニングを必要とするブロックを指定するスイッチ３０を、同時に２個、または連続して押圧操作する。
　【００２３】
　このとき１つのブロックからのインクの吸引を終了した段階で、バルブ２０を開弁してキャップ１７を大気に連通させた状態でエアとともに廃インクタンク１９に排出させるだけではなく、キャップ１７をインクジェットヘッド１２から引き離した状態でさらに吸引を行うと、キャップ１７の縁やインクジェットヘッド１２のノズル面に付着したインクを確実にキャップ１７に吸引でき、次のブロックヘの移動時にインクの飛散やたれ落ちを防止し、また次のブロックを封止した際に混色を招くことなく次のブロックのクリーニングを実行することができる。
　【００２４】
　またクリーニングが必要なブロックだけキャップで封止できるため、クリーニングが不要な噴射ノズルからのインクの排出を伴うこと無く、クリーニングを必要とする噴射ノズルからだけインクを選択的に排出させることができ、インクの浪費を無くしてクリーニングを実行することができる。
　【００２５】
　【発明の効果】
　以上説明したように本発明
のインクジェット記録装置によれば、
、吸
クリーニングを必要とする噴射ノズルからだけインクを選択的に排出させて、インクの浪費を無くしてクリーニング実行することができ、また、１つのブロックからのインクの吸引が終了した段階で、キャップを大気に連通させて吸引するため、混色を招くことなく次のブロックのクリーニングを実行することができる。さらに、
、印
防止する
【図面の簡単な説明】
　【図１】
　本発明によるインクジェット記録装置の一実施例を示す図である。
　【図２】
　本発明によるインクジェット記録装置に使用するインクジェットヘッドの一実施例を噴射ノズルの配列形態で示す図である。
　【図３】
　図（１）乃至（ＩＶ）は同上インクジェット記録装置の動作を示す説明図である。
　【図４】
　図（イ）乃至（ニ）は、それぞれ同上インクジェット記録装置のクリーニング動作を示すタイミング図である。
　【図５】
　本発明のインクジェット記録装置に使用するインクジェットヘッドの他の実施例をノズル形態で示す図である。
　【図６】
　同上インクジェットヘッドに適したインクジェット記録装置の他の実施例を示す図である。
　【符号の説明】
　１　　インクタンク
　１１　キャリッジ
　１２　インクジェットヘッド
　１５　キャリッジ位置検出器
　１７　キャップ
　１８　吸引ポンプ
　１９　廃インクタンク
　２０　バルブ
　２１　バルブソレノイド
　２３　ノズル
　２６　保護キャップ
　２７　キャップソレノイド
　３０　クリーニングスイッチ
　３１　制御回路